(57)【要約】【課題】被験者に複数種類の薬液を簡易に注入できる薬液注入システムを提供する。【解決手段】シリンジユニット２００の１個のシリンダ部材２０１の複数の穴部に複数のピストン部材２０２が個々に挿入されており、先端部分が１個に集約されている管部材２０３の複数に分岐している末端部分が１個のシリンダ部材２０１の複数の穴部に個々に連通している。薬液注入装置１０１のシリンジ保持部材１１０は、１個のシリンダ部材２０１を交換自在に保持し、複数のスライダ機構１４０は、複数のピストン部材２０２を個々に保持してスライド移動させる。１個の薬液注入装置１０１に１個のシリンジユニット２００を装着し、その管部材２０３の１個の先端部分を被験者に連結すれば、被験者に複数種類の薬液を簡易に注入できる。【選択図】　図１
2004065738.tif 000002
【特許請求の範囲】
【請求項１】
シリンダ部材の穴部にピストン部材がスライド自在に挿入されているシリンジユニットと、このシリンジユニットの前記シリンダ部材と前記ピストン部材とを別個に保持して相対移動させる薬液注入装置と、を有している薬液注入システムであって、
前記シリンジユニットは、ｎ個（ｎは２以上の整数）の前記穴部が形成されている１個の前記シリンダ部材と、このシリンダ部材のｎ個の前記穴部に個々に挿入されているｎ個のピストン部材と、を有しており、
前記薬液注入装置は、前記シリンジユニットの１個の前記シリンダ部材を交換自在に保持する１個のシリンジ保持部材と、前記シリンジユニットのｎ個の前記ピストン部材を個々に保持してスライド移動させるｎ個のスライダ機構と、を有している、薬液注入システム。
【請求項２】
前記シリンジユニットが、先端部分が１個に集約されていてｎ個に分岐している末端部分がｎ個の前記穴部に個々に連通している管部材も有している請求項１に記載の薬液注入システム。
【請求項３】
前記シリンジユニットの前記管部材の１個の先端部分とｎ個の前記末端部分との少なくとも一つに前記薬液の移動を注入方向に規制する一方弁が設けられている請求項２に記載の薬液注入システム。
【請求項４】
前記シリンジユニットの前記管部材と前記シリンダ部材とが一体に形成されている請求項２または３に記載の薬液注入システム。
【請求項５】
前記薬液注入装置のシリンジ保持部材が、外形が相違する複数種類の前記シリンジユニットの少なくとも一部の前記シリンダ部材を個々に保持する複数種類のシリンジアダプタと、これら複数種類のシリンジアダプタを交換自在に保持する１個の保持部材本体と、を有しており、
複数種類の前記シリンジユニットの少なくとも一部は、１個の前記シリンダ部材のｎ個の前記穴部にｎ個の前記ピストン部材が挿入されており、
複数種類の前記シリンジユニットの少なくとも一部は、１個の前記シリンダ部材の１個の前記穴部に１個の前記ピストン部材が挿入されており、
複数種類の前記シリンジアダプタの少なくとも一部は、ｎ個の前記ピストン部材が挿入されている１個の前記シリンダ部材を保持し、
複数種類の前記シリンジアダプタの少なくとも一部は、１個の前記ピストン部材が個々に挿入されているｎ個の前記シリンダ部材を保持する請求項１ないし４の何れか一項に記載の薬液注入システム。
【請求項６】
前記薬液注入装置のシリンジ保持部材が、外形が相違する複数種類の前記シリンジユニットの少なくとも一部の前記シリンダ部材を個々に保持する複数種類のシリンジアダプタと、これら複数種類のシリンジアダプタと複数種類の前記シリンジユニットの少なくとも一部の前記シリンダ部材とを交換自在に保持する１個の保持部材本体と、を有しており、
複数種類の前記シリンジユニットの少なくとも一部は、１個の前記シリンダ部材の１個の前記穴部に１個の前記ピストン部材が挿入されており、
複数種類の前記シリンジアダプタの少なくとも一部は、１個の前記ピストン部材が個々に挿入されているｎ個の前記シリンダ部材を保持し、
複数種類の前記シリンジユニットの少なくとも一部は、ｎ個の前記ピストン部材がｎ個の前記穴部に挿入されている１個の前記シリンダ部材が前記シリンジアダプタを介することなく前記保持部材本体に直接に保持される請求項１ないし４の何れか一項に記載の薬液注入システム。
【請求項７】
シリンダ部材の穴部にピストン部材がスライド自在に挿入されているシリンジユニットであって、
ｎ個（ｎは２以上の整数）の前記穴部が形成されている１個の前記シリンダ部材と、
このシリンダ部材のｎ個の前記穴部に個々に挿入されているｎ個のピストン部材と、
を有しているシリンジユニット。
【請求項８】
請求項６に記載の薬液注入システムのシリンジユニットであって、
ｎ個（ｎは２以上の整数）の前記穴部が形成されていて前記薬液注入装置の前記保持部材本体に前記シリンジアダプタを介することなく直接に保持される１個の前記シリンダ部材と、
このシリンダ部材のｎ個の前記穴部に個々に挿入されているｎ個のピストン部材と、
を有しているシリンジユニット。
【請求項９】
先端部分が１個に集約されていてｎ個に分岐している末端部分がｎ個の前記穴部に個々に連通している管部材も有している請求項７または８に記載のシリンジユニット。
【請求項１０】
前記管部材の１個の先端部分とｎ個の前記末端部分との少なくとも一つに前記薬液の移動を注入方向に規制する一方弁が設けられている請求項９に記載のシリンジユニット。
【請求項１１】
前記管部材と前記シリンダ部材とが一体に形成されている請求項９に記載のシリンジユニット。
【請求項１２】
請求項１に記載の薬液注入システムの薬液注入装置であって、
前記シリンジユニットの１個の前記シリンダ部材を交換自在に保持する１個のシリンジ保持部材と、
前記シリンジユニットのｎ個の前記ピストン部材を個々に保持してスライド移動させるｎ個のスライダ機構と、
を有している薬液注入装置。
【請求項１３】
請求項５に記載の薬液注入システムの薬液注入装置であって、
前記シリンジユニットの１個の前記シリンダ部材を交換自在に保持する１個のシリンジ保持部材と、前記シリンジユニットのｎ個の前記ピストン部材を個々に保持してスライド移動させるｎ個のスライダ機構と、を有しており、
前記シリンジ保持部材が、外形が相違する複数種類の前記シリンジユニットの少なくとも一部の前記シリンダ部材を個々に保持する複数種類のシリンジアダプタと、これら複数種類のシリンジアダプタを交換自在に保持する１個の保持部材本体と、を有している薬液注入装置。
【請求項１４】
請求項６に記載の薬液注入システムの薬液注入装置であって、
前記シリンジユニットの１個の前記シリンダ部材を交換自在に保持する１個のシリンジ保持部材と、前記シリンジユニットのｎ個の前記ピストン部材を個々に保持してスライド移動させるｎ個のスライダ機構と、を有しており、
前記シリンジ保持部材が、外形が相違する複数種類の前記シリンジユニットの少なくとも一部の前記シリンダ部材を個々に保持する複数種類のシリンジアダプタと、これら複数種類のシリンジアダプタと複数種類の前記シリンジユニットの少なくとも一部の前記シリンダ部材とを交換自在に保持する１個の保持部材本体と、を有している薬液注入装置。
【発明の詳細な説明】
【０００１】
【発明の属する技術分野】
本発明は、シリンジユニットの薬液を薬液注入装置により被験者に注入する薬液注入システムに関し、特に、複数種類の薬液を自在に注入する薬液注入システムに関する。
【０００２】
【従来の技術】
現在、医療現場で利用されているＣＴ（Ｃｏｍｐｕｔｅｄ　Ｔｏｍｏｇｒａｐｈｙ）スキャナは、レントゲン撮影の応用により被験者の断層画像を撮像することができ、ＭＲＩ（Ｍａｇｎｅｔｉｃ　Ｒｅｓｏｎａｎｃｅ　Ｉｍａｇｉｎｇ）装置は、磁気共鳴効果により被験者の断層画像をリアルタイムに撮像することができ、アンギオ装置は、レントゲン撮影の応用により被験者の血管画像を撮像することができる。
【０００３】
上述のような装置を使用するとき、被験者に造影剤や生理食塩水などの薬液を注入することがあり、この注入を自動的に実行する薬液注入システムも実用化されている。ここで、このような薬液注入システムの一従来例を図１０を参照して以下に説明する。
【０００４】
ここで例示する薬液注入システム１は、交換自在な多数のシリンジユニット１０と１個の薬液注入装置２０からなり、薬液注入装置２０にはシリンジユニット１０が２個まで装着される。シリンジユニット１０は、１個のシリンダ部材１１と１個のピストン部材１２からなり、シリンダ部材１１は、末端面に開口した１個の穴部１３が内部に形成されている。
【０００５】
シリンダ部材１１の先端面は閉塞されて中央に中空の導管部１４が形成されており、この導管部１４の先端まで穴部１３が連通している。このシリンダ部材１１の穴部１３にピストン部材１２がスライド自在に挿入されており、このピストン部材１２とシリンダ部材１１との末端外周には、ピストンフランジ１５とシリンダフランジ１６とが各々形成されている。
【０００６】
薬液注入装置２０は、１個のシリンジ保持部材２１と２個のスライダ機構２２からなり、１個のシリンジ保持部材２１には、２個のシリンジユニット１０のシリンダ部材１１を個々に保持する２個の凹部２３が形成されている。この２個の凹部２３の各々の後方に２個のスライダ機構２２が個々に配置されており、これらのスライダ機構２２はシリンジユニット１０のピストン部材１２を保持してスライド移動させる。
【０００７】
なお、この薬液注入システム１は、先端部分が１個に集約されていて末端部分が２個に分岐している管部材１８も有しており、この管部材１８の２個の末端部分が２個のシリンジユニット１０の導管部１４に個々に連結されている。この管部材１８の１個の先端部分には、例えば、延長チューブによりカテーテルが連結されており、このカテーテルが被験者に連結されている（図示せず）。
【０００８】
上述のような構成において、この従来例の薬液注入システム１では、１個の薬液注入装置２０により２個のシリンジユニット１０から２種類の薬液を被験者に注入することができるので、例えば、ＣＴスキャナにより断層画像が撮像される被験者に造影剤を注入してから生理食塩水で後押しするようなことができる。
【０００９】
なお、上述のような薬液注入システム１で使用されるシリンジユニット１０としては、薬液が充填された状態で出荷されて一度だけ使用するプレフィルドタイプと、所望の薬液を充填して何度も使用することができるノンプレフィルドタイプがある。
【００１０】
このノンプレフィルドタイプのシリンジユニット１０に薬液を充填する場合は、薬液注入装置２０に装填したシリンジユニット１０を延長チューブで薬液タンクに連結し（図示せず）、薬液注入装置２０によりシリンジユニット１０に薬液タンクから薬液を吸入させる。
【００１１】
しかし、上述のように複数のシリンジユニット１０を分岐した管部材１８で被験者に連結した場合には、そのままでは薬液タンクから２個のシリンジユニット１０に２種類の薬液を個々に吸入させることが困難であり、吸入時と注入時とで直管の管部材（図示せず）と分岐した管部材１８とを交換することは煩雑なので、一般的にはプレフィルドタイプのシリンジユニット１０が使用される。
【００１２】
なお、上述のように複数のシリンジユニット１０を分岐した管部材１８で被験者に連結した場合には、注入時に一方の薬液が他方のシリンジユニット１０に逆流することを防止するため、管部材１８の分岐部分に切換弁を内蔵しておくことや、管部材１８の末端部分に一方弁を挿入することも実施されている（図示せず）。
【００１３】
【発明が解決しようとする課題】
上述の薬液注入システム１では、１個の薬液注入装置２０により２個のシリンジユニット１０から２種類の薬液を被験者に注入することができるが、そのためには、１個の薬液注入装置２０に２個のシリンジユニット１０を装填し、その２個のシリンジユニット１０の各々に管部材１８の末端部分を個々に連結する必要があるが、このような準備作業は煩雑である。
【００１４】
さらに、管部材１８の分岐部分に切換弁が内蔵されている場合は、その切換弁の操作が煩雑であり、管部材１８の末端部分に一方弁を装着する場合には、その装着が煩雑である。特に、２個のシリンジユニット１０の各々に一方弁を介して管部材１８を連結する場合、４回もの連結作業が必要であり、その作業が極度に煩雑であるとともに、連結部分に汚染が発生する可能性が高い。
【００１５】
本発明は上述のような課題に鑑みてなされたものであり、被験者に複数種類の薬液を簡単に注入することができる薬液注入システムを提供することを目的とする。
【００１６】
【課題を解決するための手段】
本発明の薬液注入システムは、シリンジユニットと薬液注入装置とを有しており、シリンジユニットは、１個のシリンダ部材、ｎ個のピストン部材、１個の管部材、を有しており、薬液注入装置は、１個のシリンジ保持部材、ｎ個のスライダ機構、を有している。
【００１７】
シリンジユニットの１個のシリンダ部材は、ｎ個（ｎは２以上の整数）の穴部が形成されており、このｎ個の穴部にｎ個のピストン部材が個々に挿入されている。管部材は、先端部分が１個に集約されていて末端部分がｎ個に分岐しており、このｎ個の末端部分が１個のシリンダ部材のｎ個の穴部に個々に連通している。
【００１８】
薬液注入装置の１個のシリンジ保持部材は、シリンジユニットの１個のシリンダ部材を交換自在に保持し、ｎ個のスライダ機構は、シリンジユニットのｎ個のピストン部材を個々に保持してスライド移動させる。このため、本発明の薬液注入システムでは、１個の薬液注入装置に１個のシリンジユニットを装着し、その管部材の１個の先端部分を被験者に連結すれば、この被験者に複数種類の薬液を自在に注入することができる。
【００１９】
なお、本発明で云う各種の構成要素は、個々に独立した存在である必要もなく、複数の構成要素が１個の部材として形成されていること、ある構成要素が他の構成要素の一部であること、ある構成要素の一部と他の構成要素の一部とが重複していること、等も可能である。
【００２０】
【発明の実施の形態】
［実施の形態の構成］
本発明の実施の一形態を図１ないし図５を参照して以下に説明する。図１に示すように、本実施の形態の薬液注入システム１００は、薬液注入装置１０１と、シリンジユニットである異形シリンジ２００および通常シリンジ３００と、を有している。
【００２１】
この通常シリンジ３００は、一従来例で説明したシリンジユニット１０と完全に同一の構造からなり、１個のシリンダ部材３０１に１個のピストン部材３０２がスライド自在に挿入されている。この通常シリンジ３００は、シリンダ部材３０１とピストン部材３０２との末端外周にシリンダフランジ３０３とピストンフランジ３０４とが形成されており、例えば、製造メーカや薬液ごとに各種の外形に形成されている。
【００２２】
異形シリンジ２００は、１個のシリンダ部材２０１、２個のピストン部材２０２、１個の管部材２０３、を有しており、図３に示すように、１個のシリンダ部材２０１に、２個の末端開口の穴部２０５が並列に形成されている。ピストン部材２０２は、ピストンヘッド２０４とピストンロッド２０９からなり、２個のピストン部材２０２がシリンダ部材２０１の２個の穴部２０５に個々に挿入されている。
【００２３】
シリンダ部材２０１の先端面には２個の導管部２０６が形成されており、これらの導管部２０６の先端まで穴部２０５は形成されている。また、シリンダ部材２０１の末端外周にはシリンダフランジ２０７が形成されており、ピストン部材２０２の末端外周にもピストンフランジ２０８が形成されている。
【００２４】
管部材２０３は、図１に示すように、先端部分が１個に集約されていて末端部分が２個に分岐しており、その２個の末端部分の各々には一方弁２１０が内蔵されている。この管部材２０３の２個の末端部分が１個のシリンダ部材２０１の２個の導管部２０６に個々に装着されることで、２個の穴部２０５に個々に連通している。
【００２５】
なお、本形態の異形シリンジ２００は、プレフィルドタイプとして製造されており、例えば、薬液ごとに各種の外形に形成されている。本形態の異形シリンジ２００は、シリンダ部材２０１の２個の穴部２０５に造影剤と生理食塩水とが充填され（図示せず）、シリンダ部材２０１に管部材２０３が連結された状態で出荷されている。
【００２６】
薬液注入装置１０１は、図４に示すように、スタンド１０２の上端に装置本体１０３が装着されており、装置本体１０３には、操作パネル１０４と液晶ディスプレイ１０５とが搭載されている。この装置本体１０３の側部にはアーム１０６が装着されており、このアーム１０６の上端にシリンジ保持部材である注入ヘッド１１０が装着されている。
【００２７】
この注入ヘッド１１０は、１個の保持部材本体１１１、複数種類のシリンジアダプタ１２０，１３０、スライダ機構１４０、からなり、保持部材本体１１１には、複数種類のシリンジアダプタ１２０，１３０が１個ずつ交換自在に装着される。
【００２８】
このシリンジアダプタ１２０，１３０は、大別すると異形シリンジ２００と通常シリンジ３００とに対応した２種類からなり、その２種類の各々において、異形シリンジ２００と通常シリンジ３００との各種外形に対応した複数種類からなる。
【００２９】
注入ヘッド１１０には、上面前方にシリンジアダプタ１２０，１３０が装着されるボックス状の一つの凹部１１１が形成されており、この凹部１１１の左右の内側面には上下方向に連通する凸部１１２が形成されているので、この凸部１１２が上下方向にスライド自在に係合する凹部１２１が、シリンジアダプタ１２０，１３０の左右の外側面に形成されている。
【００３０】
また、注入ヘッド１１０の凹部１１１の底面には、左右方向での中央に複数の凸部１１３が前後方向に配列されて形成されており、これらの凸部１１３が係合する凹部（図示せず）が、シリンジアダプタ１２０，１３０の下面に形成されている。
【００３１】
シリンジアダプタ１２０は、１個の異形シリンジ２００のシリンダ部材２０１が着脱自在に装着される幅広の一つの凹部１２２が上面に形成されており、この凹部１２２の後部にシリンダフランジ２０７が係合する凹溝１２３が形成されている。さらに、凹部１２２の上面には左右方向での中央に複数の凸部１２４が前後方向に配列されて形成されており、図３に示すように、これらの凸部１２４が係合する凹部２１１がシリンダ部材２０１の下面に形成されている。
【００３２】
シリンジアダプタ１３０は、２個の通常シリンジ３００のシリンダ部材３０１が着脱自在に装着される幅狭の二つの凹部１３１が上面に形成されており、このれらの凹部１３１の各々の後部にシリンダフランジ３０３が係合する凹溝１３２が形成されている。
【００３３】
スライダ機構１４０は、１個の保持部材本体１１１の後部に２個が内蔵されており、２個のピストン部材２０２または２個のピストン部材３０２を個々に保持してスライド移動させる。つまり、保持部材本体１１１にシリンジアダプタ１３０により２個の通常シリンジ３００が装着された場合、２個のスライダ機構１４０は２個の通常シリンジ３００のピストン部材３０２を個々にスライド移動させる。また、保持部材本体１１１にシリンジアダプタ１２０により１個の異形シリンジ３００が装着された場合、２個のスライダ機構１４０は１個の異形シリンジ２００の２個のピストン部材２０２を個々にスライド移動させる。
【００３４】
なお、本実施の形態の薬液注入装置１０１は、図７に示すように、ＣＴスキャナ４００の撮像ユニット４０１の近傍で使用され、必要によりＣＴスキャナ４００の制御ユニット４０２に接続される。この制御ユニット４０２はコンピュータシステムからなり、撮像ユニット４０１を動作制御するとともに断層画像を表示する。
【００３５】
［実施の形態の動作］
上述のような構成において、本実施の形態の薬液注入システム１００では、図１に示すように、所望により薬液注入装置１０１に１個の異形シリンジ２００または２個の通常シリンジ３００をシリンジアダプタ１２０，１３０により装着することができる。
【００３６】
薬液注入装置１０１の保持部材本体１１１にシリンジアダプタ１３０を装着した場合、その薬液注入装置１０１は従来の薬液注入装置２０と完全に同一の状態となる。このため、薬液注入装置１０１に２個の通常シリンジ３００を装着し、その通常シリンジ３００を延長チューブ（図示せず）で被験者に連結することにより、その被験者に２種類の薬液を自在に注入することができる。
【００３７】
一方、図２に示すように、薬液注入装置１０１の保持部材本体１１１にシリンジアダプタ１２０を装着した場合、そのシリンジアダプタ１２０には１個の異形シリンジ２００を装着することができる。この場合、異形シリンジ２００の管部材２０３の１個の先端部分を延長チューブ（図示せず）で被験者に連結することにより、その被験者に１個の異形シリンジ２００から２種類の薬液を自在に注入することができる。
【００３８】
なお、異形シリンジ２００および通常シリンジ３００は、例えば、薬液の種類や容量などにより複数種類の外形に形成されているが、その外形に対応してシリンジアダプタ１２０，１３０が形成されているので、保持部材本体１１１には各種の異形シリンジ２００および各種の通常シリンジ３００を装着することができる。
【００３９】
［実施の形態の効果］
本実施の形態の薬液注入システム１００では、異形シリンジ２００は出荷時に薬液が充填されたプレフィルドタイプに形成されており、シリンダ部材２０１に管部材２０３が装着された状態で出荷される。このため、上述のように１個の薬液注入装置１０１に１個の異形シリンジ２００を装着し、その管部材２０３の１個の先端部分を被験者に連結すれば、この被験者に複数種類の薬液を自在に注入することができる。従って、被験者に複数種類の薬液を注入するために薬液注入装置１０１に複数の異形シリンジ２００を装着して管部材２０３の複数の末端部分を連結する必要がなく、その作業が簡易で連結部分に汚染が発生する可能性も低い。
【００４０】
それでいて、本形態の薬液注入装置１０１は、保持部材本体１１１にシリンジアダプタ１３０を装着すると通常シリンジ３００を装着することもできるので、市場に普及している既存の通常シリンジ３００を従来と同様に使用することもできる。
【００４１】
また、本形態の異形シリンジ２００は、管部材２０３の複数の末端部分の各々に一方弁２１０が内蔵されているので、被験者から薬液や血液が逆流することがなく、異形シリンジ２００の内部の複数の薬液が混ざることもない。
【００４２】
しかも、本形態の異形シリンジ２００には、薬液として高粘度の造影剤と低粘度の生理食塩水とが充填されているが、造影剤は被験者に管部材２０３の直線状の部分で注入され、生理食塩水は管部材２０３の曲折した部分で注入される。このため、本形態の薬液注入装置１０１は、粘度の影響を軽減しながら造影剤と生理食塩水とを被験者に注入することができる。
【００４３】
なお、本形態の薬液注入装置１０１では、凸部１１２，１１３と凹部１２１等との係合により保持部材本体１１１にシリンジアダプタ１２０，１３０が保持されるので、簡単な構造で確実に保持部材本体１１１にシリンジアダプタ１２０，１３０を保持させることができる。
【００４４】
また、凹溝１２３にシリンダフランジ２０７が係合するとともに凸部１２４が凹部２１１に係合することで、シリンジアダプタ１２０に異形シリンジ２００が保持されるので、簡単な構造で確実にシリンジアダプタ１２０に異形シリンジ２００を保持させることができる。特に、図３（ｂ）に示すように、異形シリンジ２００の凹部２１１はシリンダ部材２０１のデッドスペースに形成されているので、異形シリンジ２００のスペースが有効に利用されている。
【００４５】
［実施の形態の変形例］
本発明は本実施の形態に限定されるものではなく、その要旨を逸脱しない範囲で各種の変形を許容する。例えば、本形態では薬液注入装置１０１をＣＴスキャナ４００の近傍で使用することを想定したが、これをＭＲＩ装置やアンギオ装置の近傍で使用することも可能である。
【００４６】
また、本形態では異形シリンジ２００のシリンダ部材２０１の２個の穴部２０５に２個のピストン部材２０２が個々に挿入されていることを例示したが、例えば、シリンダ部材の３個以上の穴部に同数のピストン部材が個々に挿入されていることも可能である。
【００４７】
さらに、本形態では異形シリンジ２００の管部材２０３の複数の末端部分の全部に一方弁２１０が内蔵されていることを例示したが、例えば、管部材２０３の複数の末端部分の一部や１個の先端部分に一方弁２１０が内蔵されていることも可能であり、管部材２０３に一方弁２１０が内蔵されていないことも可能である。
【００４８】
また、本形態では異形シリンジ２００が専用設計で製造されており、そのシリンダ部材２０１がムク材からなることを想定したが、例えば、図６に示すように、２個の通常シリンジ３００をスペーサ部材５０１で連結して管部材２０３を装着することにより、異形シリンジ５００を形成することも可能である。
【００４９】
さらに、本形態では異形シリンジ２００のシリンダ部材２０１が扁平な楕円筒状に形成されており、専用の薬液注入装置１０１のシリンジアダプタ１２０により保持部材本体１１１に装着されることを例示した。しかし、図７に示すように、複数の通常シリンジ３００を上部で連結した構造に異形シリンジ５１０のシリンダ部材５１１を形成することにより、従来の薬液注入装置２０に装着できる異形シリンジ５１０を実現することも可能である。
【００５０】
また、本形態では異形シリンジ２００のピストン部材２０２がピストンヘッド２０４とピストンロッド２０９からなり、薬液注入装置１０１のスライダ機構１４０がピストンロッド２０９を保持することを例示した。しかし、ピストン部材がピストンヘッドのみからなり、薬液注入装置のスライダ機構がピストンヘッドを直接に保持することも可能である（図示せず）。
【００５１】
さらに、本形態では異形シリンジ２００のシリンダ部材２０１に別体の管部材２０３が予め装着されていることを例示したが、異形シリンジ２００と管部材２０３とを別個に製造販売して現場で作業者に連結させることも可能である。
【００５２】
また、本形態では異形シリンジ２００のシリンダ部材２０１に別体の管部材２０３が装着されていることを例示したが、図８に示すように、シリンダ部材５２１の内部に管部材５２２が内蔵されている構造に異形シリンジ５２０を形成することも可能である。
【００５３】
さらに、本形態ではシリンジアダプタ１２０，１３０により１個の保持部材本体１１１に１個の異形シリンジ２００と２個の通常シリンジ３００とを自在に装着できることを例示したが、図２に示すように、保持部材本体１１１にシリンジアダプタ１２０が装着された構造に薬液注入装置（図示せず）を形成することにより、異形シリンジ２００のみ使用する薬液注入装置を実現することも可能である。
【００５４】
また、本形態では異形シリンジ２００と通常シリンジ３００とがシリンジアダプタ１２０，１３０により保持部材本体１１１に装着されることを例示したが、図９に示すように、シリンジアダプタ１３０と同様な外形に異形シリンジ５３０のシリンダ部材５３１を形成し、この異形シリンジ５３０を保持部材本体１１１に直接に装着することも可能である。
【００５５】
この場合、薬液注入システム１００としては、保持部材本体１１１に異形シリンジ５３０を直接に直脱するとともに通常シリンジ３００をシリンジアダプタ１３０で直脱することが可能であり、さらに、保持部材本体１１１に異形シリンジ５３０を直接に直脱するとともに異形シリンジ２００と通常シリンジ３００とをシリンジアダプタ１２０，１３０で直脱することも可能である。
【００５６】
【発明の効果】
本発明の薬液注入システムでは、１個の薬液注入装置に１個のシリンジユニットを装着し、その管部材の１個の先端部分を被験者に連結すれば、この被験者に複数種類の薬液を自在に注入することができるので、被験者に複数種類の薬液を注入するために薬液注入装置に複数のシリンジユニットを装着して管部材の複数の末端部分を連結する必要がなく、その作業が簡易で連結部分に汚染が発生する可能性も低い。
【図面の簡単な説明】
【図１】本発明の実施の形態の薬液注入システムを示す分解斜視図である。
【図２】薬液注入装置にシリンジユニットである異形シリンジを装着する状態を示す斜視図である。
【図３】（ａ）は異形シリンジの横断平面図、（ｂ）は縦断正面図である。
【図４】薬液注入装置の外観を示す斜視図である。
【図５】ＭＲＩ装置の外観を示す斜視図である。
【図６】第１の変形例の異形シリンジを示す斜視図である。
【図７】第２の変形例の異形シリンジを示す斜視図である。
【図８】第３の変形例の異形シリンジを薬液注入装置に装着する状態を示す斜視図である。
【図９】第４の変形例の薬液注入システムを示す分解斜視図である。
【図１０】一従来例の薬液注入システムを示す分解斜視図である。
【符号の説明】
１００　　薬液注入システム
１０１　　薬液注入装置
１１０　　シリンジ保持部材である注入ヘッド
１１１　　保持部材本体
１２０，１３０　　シリンジアダプタ
１４０　　スライダ機構
２００，５００，５１０，５２０，５３０　　シリンジユニットである異形シリンジ
２０１，３０１，５１１，５２１，５３１　　シリンダ部材
２０２，３０２　　ピストン部材
２０３，５２２　　管部材
２０５　　穴部
２１０　　一方弁
３００　　シリンジユニットである通常シリンジ
【図１】
2004065738.tif 000003
【図２】
2004065738.tif 000004
【図３】
2004065738.tif 000005
【図４】
2004065738.tif 000006
【図５】
2004065738.tif 000007
【図６】
2004065738.tif 000008
【図７】
2004065738.tif 000009
【図８】
2004065738.tif 000010
【図９】
2004065738.tif 000011
【図１０】
2004065738.tif 000012